(57)【要約】      （修正有）【課題】ゴミ箱本体の内面がゴミ汁等で汚れることがなく、衛生的であり、使い勝手のよいゴミ箱及びそれに使用するゴミ箱中間体を提供する。【解決手段】有底且つ周壁を有し、上方開口の本体箱部と、本体箱部の対峙する一方の両側の壁部１２ａ、１２ｂの上方部から壁部の外周面との間に隙間を形成して所定の寸法で下方に延びる係止部３と、を有するゴミ箱本体部１と、本体箱部の上方周壁部に差し込みで嵌め込まれ、係止部３を覆う高さの外周壁を有する押え部材２とを備えるゴミ箱中間体１０と、レジ袋とからなり、本体箱部内にレジ袋を装着し、レジ袋の上部両端の把手部を係止部３に係止してなるゴミ箱。【選択図】図１
0003189412.tif 000002
【実用新案登録請求の範囲】
【請求項１】
有底且つ周壁を有し、上方開口の本体箱部と、該本体箱部の対峙する一方の両側の壁部の上方部から該壁部の外周面との間に隙間を形成して所定の寸法で下方に延びる係止部と、を有するゴミ箱本体部と、
該本体箱部の上方周壁部に差し込みで嵌め込まれ、該係止部を覆う高さの外周壁を有する押え部材とを備えることを特徴とするゴミ箱中間体。
【請求項２】
該本体箱部の周壁は、横方向長さが大の正面壁部と背面壁部と、横方向長さが小の左右両壁部であり、該対峙する一方の両側の壁部が、左右両壁部であることを特徴とする請求項１記載のゴミ箱中間体。
【請求項３】
該背面壁部に、固定係止部に係止する係止部材を付設したことを特徴とする請求項２記載のゴミ箱中間体。
【請求項４】
該係止部は、所定幅を有し、該係止部の先端形状が、幅方向の中央部の先端に切り欠きを有する二股形状である請求項１〜３のいずれか１項に記載のゴミ箱中間体。
【請求項５】
該係止部と該壁部間には、該隙間を塞ぐ部材を形成してなることを特徴とする請求項１〜４のいずれか１項に記載のゴミ箱中間体。
【請求項６】
該係止部の先端寄りで、幅方向の端寄りの裏側で、且つ該係止部と該壁部間には、該隙間を塞ぐ部材を形成してなることを特徴とする請求項１〜４のいずれか１項に記載のゴミ箱中間体。
【請求項７】
請求項１〜６のいずれか１項記載のゴミ箱中間体と、
袋体本体部と該袋体本体部の上部両端に把手部を有する袋体とからなり、
該本体箱部内に該袋体を装着し、該袋体の把手部を、該隙間に入れ込んで該係止部に係止してなることを特徴とするゴミ箱。
【考案の詳細な説明】
【技術分野】
【０００１】
本考案は、特に、コンビニエンスストア（以下、単に「コンビニ」と称する。）のカウンターに設置された入れたてコーヒー用のゴミ箱及びそれに用いるゴミ箱中間体に関するものである。
【背景技術】
【０００２】
従来、家庭用や業務用など屋内で使用するゴミ箱としては、レジ袋を利用したゴミ箱が知られている。このゴミ箱は、ゴミ箱本体の中にレジ袋を挿入し、そのレジ袋の中にゴミを入れ込むものである。これにより、収容されたゴミはレジ袋と共に、捨てればよいため、ゴミ箱本体を汚す必要がなく、都合がよい。
【０００３】
一方、コンビニのカウンターに設置された入れたてコーヒーは、近年、人気を呼び、多くのコンビニに導入されている。入れたてコーヒーは、その場で飲むことが多く、使用後のフィルター付きコーヒー滓や、飲んだ後のカップ、ミルクカップ、シュガーカップあるいはストローなどのゴミ類がでることが多い。このようなゴミ類は、コーヒーやミルクなどの液体で汚れており、そのまま従来のコンビニ内に設置された比較的大きなゴミ箱に入れると、内部を汚すため、専用のゴミ箱を設置している。
【考案の概要】
【考案が解決しようとする課題】
【０００４】
このような専用のゴミ箱は、使い勝手を優先して、カウンター上やカウンターの前面に設置しているが、依然として容器のままであり、一度容器内のゴミを廃棄した後は、内側面の汚れをふき取っているのが現状である。従って、ゴミ箱内を汚すこと無く、使い勝手のよいゴミ箱の開発が望まれている。また、顧客は、その場で飲むため、清潔感が要求されると共に、意匠性に優れる等販売促進の効果を演出できるゴミ箱の登場が望まれている。
【０００５】
従って、本考案の目的は、ゴミ箱本体の内面がゴミ汁等で汚れることがなく、衛生的であり、使い勝手のよいゴミ箱及びそれに使用するゴミ箱中間体を提供することにある。
【０００６】
すなわち、本考案は、上記課題を解決したものであって、有底且つ周壁を有し、上方開口の本体箱部と、該本体箱部の対峙する一方の両側の壁部の上方部から該壁部の外周面との間に隙間を形成して所定の寸法で下方に延びる係止部と、を有するゴミ箱本体部と、該本体箱部の上方周壁部に差し込みで嵌め込まれ、該係止部を覆う高さの外周壁を有する押え部材とを備えることを特徴とするゴミ箱中間体を提供するものである。
【０００７】
また、本考案は、該本体箱部の周壁は、横方向長さが大の正面壁部と背面壁部と、横方向長さが小の左右両壁部であって、該対峙する一方の両側の壁部が、左右両壁部であることを特徴とする前記ゴミ箱中間体を提供するものである。
【０００８】
また、本考案は、該背面壁部に、固定係止部に係止する係止部材を付設したことを特徴とする前記ゴミ箱中間体を提供するものである。
【０００９】
また、本考案は、該係止部は、所定幅を有し、該係止部の先端形状が、幅方向の中央部の先端に切り欠きを有する二股形状である前記ゴミ箱中間体を提供するものである。
【００１０】
また、本考案は、該係止部と該壁部間には、該隙間を塞ぐ部材を形成してなることを特徴とする前記ゴミ箱中間体を提供するものである。
【００１１】
また、本考案は、該係止部の先端寄りで、幅方向の端寄りの裏側で、且つ該係止部と該壁部間には、該隙間を塞ぐ部材を形成してなることを特徴とする前記ゴミ箱中間体を提供するものである。
【００１２】
また、本考案は、前記ゴミ箱中間体と、袋体本体部と該袋体本体部の上部両端に把手部を有する袋体とからなり、該本体箱部内に該袋体を装着し、該袋体の把手部を、該隙間に入れ込んで該係止部に係止してなることを特徴とするゴミ箱を提供するものである。
【考案の効果】
【００１３】
本考案によれば、ゴミ箱内に捨てられたゴミは、例えば、レジ袋である袋体と共に捨てればよく、使い勝手がよい。また、ゴミ箱本体の内面がコーヒー滓やミルク等で汚れることがなく、衛生的であり、且つ清掃作業が著しく減る。また、レジ袋の耳が押え部材で覆われているため、顧客から見えず、意匠性に優れる。また、利用者には、レジ袋を使用していることが判っても、レジ袋の耳が隠れているため、興味を抱かせることができ、コーヒー類の販売促進の効果を演出できる。
【図面の簡単な説明】
【００１４】
【図１】本考案の実施の形態におけるゴミ箱中間体の分解図斜視図である。
【図２】ゴミ箱本体部にレジ袋を装着する様子を説明する図である。
【図３】ゴミ箱本体部にレジ袋を装着する手順を説明する図である。
【図４】ゴミ箱本体部にレジ袋を装着する手順を説明する他の図である。
【図５】本考案の実施の形態におけるゴミ箱の分解斜視図である。
【図６】本考案の実施の形態におけるゴミ箱の斜視図である。
【図７】押え部材の平面図である。
【図８】押え部材の底面図である。
【図９】図７のＸ−Ｘ線に沿って見た断面図である。
【図１０】図１のゴミ箱中間体の設置方法を説明する一部を断面で示す図である。
【考案を実施するための形態】
【００１５】
本考案の実施の形態におけるゴミ箱及びそれに使用するゴミ箱中間体について、図１〜図９を参考にして説明する。図１に示すゴミ箱中間体１０は、袋体４装着前のものである。ゴミ箱中間体１０は、ゴミ箱本体部１と押え部材２との組み付け体である。なお、本明細書において、左右方向とは設置状態において利用者側（正面）から見た方向を言う。
【００１６】
ゴミ箱本体部１は、有底１３且つ周壁１１、１２を有し、上方開口１４の本体箱部１Ａと、本体箱部１Ａの対峙する一方の両側の壁部１２ａ、１２ｂの上方部（上方端）から壁部１２ａ、１２ｂの外周面との間に隙間３５を形成して所定の寸法で下方に延びる係止部３と、を有する。ゴミ箱本体部１は、例えば、レジ袋４の把手部である耳４２が係止する係止部３を形成すると共に、その中にレジ袋４が装着されるものである。
【００１７】
ゴミ箱本体部１の外観形状としては、特に制限されず、平面視（開口形状）が、四角形、略四角形、楕円形、円形等の種々のものが挙げられる。この中、平面視が、長方形及び略長方形のものが、レジ袋４等の袋体の形状に対応する点で好ましい。また、四角形の開口形状に対して、周壁１１、１２が外側に膨らむような形状、すなわち、開口形状と周壁形状は異なっていてもよい。本例の本体箱部１Ａの周壁は、横方向長さが大の正面壁部１１ａと背面壁部１１ｂと、横方向長さが小の左右両壁部１２ａ、１２ｂである。そして、対峙する一方の両側の壁部とは、左右両壁部１２ａ、１２ｂである。なお、周壁を形成する４面の壁部が、横方向長さが同じものであるゴミ箱本体部において、対峙する一方の両側の壁部とは、対峙する２つの両側のいずれであってもよい。また、周壁を形成する壁部が、円形であるゴミ箱本体部において、対峙する一方の両側の壁部は、中心を結ぶ対角線上にある対峙する側であればよい。また、周壁を形成する壁部が楕円形であるゴミ箱本体部において、対峙する一方の両側の壁部とは、屈曲が小さい側の壁部を言う。
【００１８】
ゴミ箱本体部１において、係止部３の形状としては、特に制限されず、棒状、舌状、三角形状、四角形状など種々の形状であってもよい。本例の係止部３の形状は、所定幅を有する略四角形状であって、係止部３の先端形状が、幅方向の中央部の先端部に内側に半円形状の切り欠き３２を有する二股３１ａ、３１ｂの形状である（図５参照）。係止部３を幅広く採ることで、レジ袋４等の袋体が大きく開き、ゴミ箱本体部１の上部開口縁を覆い易くなる。係止部３が棒状のような幅狭いものであれば、レジ袋４でゴミ箱本体部１の上部開口を覆うように整える手作業が必要となる。また、図５に示すように、係止部３の先端形状を二股形状とすることで、二股部分３２にレジ袋４の耳４２の一部が現れるため、ゴミを回収する際、これを摘まめばよく、レジ袋４が外し易くなる。本体箱部１Ａと係止部３とは一体ものである。
【００１９】
また、係止部３と壁部間、好ましくは、係止部３と壁部間で且つ先端寄り、幅方向の端寄りの裏側には、隙間を塞ぐ部材３３を形成することが好ましい。本例では、係止部３の先端近傍を残して側面の隙間を塞いだ部材となっている。このように、レジ袋４の耳４２の係止を出来る限り係止部３の先端側とすることで、レジ袋４の耳４２を除くレジ袋本体部の開口縁が、ゴミ箱本体部１の上部開口縁を覆い易くなる。レジ袋４の耳４２の係止が上過ぎると、ゴミ箱本体部１の上部開口端がゴミ箱本体部１の上部開口４の中に入り込んでしまい、レジ袋４とゴミ箱本体部１間に隙間が生じ、レジ袋４内にゴミがうまく入らないことがある。
【００２０】
また、一方の両側の壁部１２ａ、１２ｂの上方部とは、上方端又は上方端からやや下方を含む部位であり、好ましくは上方端である。係止部３は、上方端近傍から下方に延びるように形成することで、係止部３の高さ寸法を抑えることができ、押え部材２の高さ寸法を小さくすることができる。
【００２１】
壁部１２ａ、１２ｂの外周面と係止部３間に形成される隙間３５は、レジ袋４の耳４２を挟み込むのに十分な隙間であり、実際は極狭い隙間でよい。この隙間３５が大き過ぎると、押え部材２の外周の寸法が大となり、意匠性で劣ることになる。
【００２２】
押え部材２は、ゴミ箱本体部１の上端開口縁を覆うレジ袋４を固定する機能と、レジ袋４の耳４２を含む端部が外から見えないように隠す部材としての機能を有する。すなわち、押え部材２は、本体箱部１Ａの上方周壁部１１１に差し込みで嵌め込まれ、係止部３を覆う高さＬ１の外周壁２１を有する。すなわち、外周壁２１の高さＬ１は、係止部３の高さ寸法Ｌ２と同じ又はそれより大である。これにより、レジ袋４と共に係止部３も外からは見えない。本体箱部１Ａの上方周壁部１１１とは、押え部材２が嵌合する部位であり、最大で係止部３の長さであればよく、本例では本体箱部１Ａの上方端から５〜２０ｍｍ程度である。（図１参照）。
【００２３】
押え部材２は、ゴミ箱本体部１の上端開口の形状に対応する略四角形の枠体構造である。枠体構造は、所定厚みの外壁２３の上端を内側に屈曲させて内壁２２とすることで、ゴミ箱本体部１の上端開口縁が嵌合する溝２１を形成したものである。内壁２２の上下方向の長さ（高さ）は、嵌合に適した長さでよく、外壁２３より短くてよい。この溝２１は、下端開口で上端は非開口であり、本体箱部１Ａの上方周壁部１１１が差し込まれる。従って、溝２１幅は、本体箱部１Ａの上方周壁部１１１の厚みよりやや大であり、溝深さ（溝高さ）は、上記の上方周壁部１１１と略同じでよい。枠体構造は、溝２１の内側が内壁２２、外側が外壁２３となる（図８及び図９）。また、枠体構造の中央の貫通穴２４はゴミが投入される投入口となる。
【００２４】
押え部材２は、図７〜図９に示された形態例に限定されず、種々の変形を採ることができる。すなわち、押え部材２は、レジ袋４を固定すると共に、レジ袋４が外から見えなければよく、例えば内壁２２は周方向において一部が欠落していてもよく、また、カウンターの前壁に設置する場合、押え部材２の後部外壁２３が、例えば固定側のフック部材を回避するため、一部が欠落していてもよい。内壁２２の周方向の一部が欠落していても、嵌め込みには支障がない。また、押え部材２の後部外壁２３が一部欠落していても、利用者からは見えないため意匠性を害することがない。
【００２５】
また、ゴミ箱本体部１の背面壁部には、図１０に示すように、カウンター１００等の固定係止部１０１に係止する係止部材５が付設されている。これにより、入れたてコーヒーメーカーの直ぐ横に設置でき、便利である。係止部材５の形状としては、特に制限されず、横コ字断面形状のフックが挙げられる。図１０のゴミ箱中間体１０において、押え部材２の後方外壁は、係止部材５を回避するため、一部が切り欠かれている。なお、図１０のゴミ箱本体部１には、袋体４の記載が省略されているが、実際の使用に際しては、袋体４が装着される。
【００２６】
ゴミ箱２０は、ゴミ箱中間体１０と、袋体本体部４１と袋体本体部４１の上部両端に把手部４２を有する袋体４とからなり、本体箱部１Ａ内に袋体４を装着し、袋体４の把手部４２を、隙間３５に入れ込んで係止部３に係止してなる。袋体４としては、レジ袋が挙げられる。レジ袋４の装着は、本体箱部１Ａの上方開口縁をレジ袋４で覆うように、すなわち、レジ袋４の上方縁部が外側に垂れるようにセットする（図５参照）。レジ袋４は、スーパーやコンビニ等で一般に使用されている袋本体部と該袋本体部の両側上端（上部両端）の紐状の耳部（把手部）からなるビニール製の公知のものが使用できる。特にコンビニの入れたてコーヒーには専用のレジ袋があり、それを利用することが好ましい。また、本体箱部１Ａの容積や高さはレジ袋４のサイズに合わせることが、レジ袋４の耳４２を隠しつつ、レジ袋４の容積を本体箱部１Ａ内に形成することができる。すなわち、本体箱部１の高さは、レジ袋４の袋本体部の高さよりやや小のものがよい。
【００２７】
本体箱部１Ａ内にレジ袋４を装填する方法の一例を、図３〜図６を参照して説明する。図３に示すように、本体箱部１Ａの中にレジ袋４を入れ、レジ袋４が本体箱部１Ａの内壁に密着するように、レジ袋４の中を手で大きく膨らませる。次いで、レジ袋４の開口縁部を本体箱部１Ａの開口縁部より外側に少し出し、上から見て、レジ袋４と本体箱部１Ａとの間に隙間がないようにする。上から見て、レジ袋４と本体箱部１Ａとの間に隙間があると、ゴミがレジ袋４の中に入らないことがある。次いで、レジ袋４の耳４２を係止部３に係止させる（図４）。係止部３の先端形状が二股形状であれば、二股に表われるレジ袋４の耳４２の一部が摘まみ易くなり、レジ袋４を容易に外すことができる（図５参照）。また、係止部３と本体箱部１Ａとの間に隙間を閉塞する部材３３を形成すれば、ジレ袋４の耳４２の係止位置が本体箱部１Ａの開口から遠くなり、レジ袋４の袋本体部を上方へ引張ることになり、レジ袋４の開口縁部が本体箱部１Ａの開口縁部より外側へ少し出しことが容易となる。
【００２８】
本体箱部１Ａ内にレジ袋４を装着した後、押え部材２を嵌め込む。押え部材２の嵌め込みは、本体箱部１Ａの開口縁が押え部材２の溝２１内に入り込むように行う。後は、溝２１の上端が閉塞しているため、押え部材２を押し込むのみでセットできる。このゴミ箱２０は、本体箱部１Ａの内壁はレジ袋４で覆われている。従って、コーヒーやミルクなどで本体箱部１Ａを汚すことはない。また、レジ袋４の耳４２は、押え部材２で隠れており、清潔感があり、意匠性に優れる。また、利用者には、レジ袋４を使用していることが判っても、レジ袋４の耳が隠れているため、その構造に興味を抱かせることができ、販売促進の効果を演出できる。
【００２９】
コンビニにおける入れたてコーヒーは、利用時間帯においては、利用頻度が高く、ゴミ箱２０は直ぐに一杯となる。従って、コンビニ従業員は、頻繁にゴミ箱２０からゴミを回収することになるが、押え部材２を本体箱部１から取り外し、次いで、ゴミの入ったレジ袋４をそのまま取り出し廃棄することで作業は完了する。また、新しいレジ袋４を前記の手順でセットすれば、使用可能状態となる。このような取り替え方法であれば、手を汚すことなく、短時間で作業は終了する。本考案のゴミ箱は、入れたてコーヒー専用のゴミ箱に限定されず、種々の用途で使用できる。その際、本体箱部１の容積及び高さ寸法とレジ袋の容積及び高さを対応するようにすることが、本考案の効果が顕著に表われる。
【産業上の利用可能性】
【００３０】
本考案のゴミ箱によれば、管理側にとっては、ゴミ回収や取り替え作業が簡単且つ清潔に行え、便利である。また、利用者にとっては、清潔感を感じ、且つ見た目もよく、気分よくコーヒー等を飲むことができる。
【符号の説明】
【００３１】
１Ａ      本体箱部
１      ゴミ箱本体部
２      押え部材
３      係止部
４      袋体（レジ袋）
１０    ゴミ箱中間体
１１    周壁
２０    ゴミ箱
２１    溝
４２    レジ袋の耳
【図１】
0003189412.tif 000003
【図２】
0003189412.tif 000004
【図３】
0003189412.tif 000005
【図４】
0003189412.tif 000006
【図５】
0003189412.tif 000007
【図６】
0003189412.tif 000008
【図７】
0003189412.tif 000009
【図８】
0003189412.tif 000010
【図９】
0003189412.tif 000011
【図１０】
0003189412.tif 000012